Podtech/llm-jp-corpus-v4-ja_patent huggingface dataset:
(57)【要約】【課題】  アンカーボルトの雄ねじ部（ナット装着部）を打設時のコンクリート付着から保護し、また、コンクリート基礎の天端面とアンカーボルトとの接触個所にリング状の錆びが生じるのを防止する。【解決手段】  アンカーボルト１の上端から雄ネジ部３を経てコンクリート天端面が予定される個所の少し下までをパラフィン皮膜４で被覆する。パラフィン皮膜は、ナット６をねじ込むときのわずかな力ではがれ落ち、仮に付着コンクリートがあっても除去する手間を省略できる。また、パラフィン皮膜によって、コンクリート天端でアンカーボルト１と打設コンクリートとが接触せず、この個所に錆びが生じない。【選択図】          図１
0003108759.tif 000002
【実用新案登録請求の範囲】
【請求項１】
アンカーボルトであって、少なくとも上端から雄ねじ部の範囲をパラフィン皮膜で覆ってあり、被覆状態のままでナットを螺合できることを特徴としたアンカーボルト。
【請求項２】
アンカーボルトであって、上端からコンクリート基礎の天端位置となる個所よりも少し低い位置までパラフィン皮膜で覆ってあり、被覆状態のままでナットを螺合できることを特徴としたアンカーボルト。
【請求項３】
パラフィン皮膜がアンカーボルトの上部を溶融パラフィンにどぶ漬けして形成してあることを特徴とした請求項１に記載のアンカーボルト。
【考案の詳細な説明】
【技術分野】
【０００１】
この考案は、基礎コンクリートに植設して土台など他の部材を固定するのに用いるアンカーボルトに関する。
【背景技術】
【０００２】
例えば、木造住宅のコンクリート基礎と土台は、コンクリート基礎中にアンカーボルトを植設し、その上面から予め突出させておいた雄ネジ部を土台に貫通させ、土台の上方から雄ネジ部にナットを螺合して固定している。
ところで、アンカーボルトをコンクリート基礎に植設するには、鉄筋に固定する等の適宜手段により型枠の内部にアンカーボルトを起立させてから、型枠内へコンクリートを流し込んで硬化させる。このため、アンカーボルトの前記雄ねじ部にコンクリートが付着することがあるが、付着して硬化したコンクリートは除去し難く雄ねじ部へナットを装着するとき手間がかかる。
【０００３】
この手間を省こうと従来、型枠内に立ち上げたアンカーボルトの上端部に保護用のキャップを被せてコンクリートが付着するのを防止する技術がある（特許文献１）。しかし、この手段では、構築された基礎に土台を固定するとき、アンカーボルトから保護用キャップを外す必要があり、アンカーボルトの数が多いとやはり手間がかかる。
また、アンカーボルトを植設してコンクリートを打設するとコンクリート基礎天端面でアンカーボルトと接する個所にリング状の錆びが発生することがある。この錆びは極く表面的なもので、アンカーボルトやコンクリート基礎に何らの影響もないが、眼につくので施主の咎めを受けて工事の品質を疑われることがある。
【０００４】
【特許文献１】特開２００１−６３７５２号公報
【考案の開示】
【考案が解決しようとする課題】
【０００５】
コンクリート打設時にアンカーボルトの雄ネジ部へ付着したコンクリートを除去する手間をなくし、また、コンクリート基礎の天端に生じる錆びを防止する。
【課題を解決するための手段】
【０００６】
アンカーボルトの上端から少なくとも雄ねじ部まで、好ましくは、コンクリート基礎の天端となる個所までをパラフィン（結晶性炭化水素混合物・・・蝋）の皮膜で覆う。皮膜は溶融させたパラフィンへのどぶ漬けで形成することが多い。
【考案の効果】
【０００７】
パラフィン皮膜には撥水性、平滑性があるのでコンクリートが付着しにくく、パラフィン皮膜で被覆された雄ネジ部にコンクリートが付着しない。仮に、コンクリートが付着し硬化しても薄く、わずかな外力ではがれる。そのため、格別にコンクリートを剥がす作業をしなくとも、そのままねじを装着すると、ねじ込まれるときの外力でコンクリートは自然にはがれ落ちる。
ナットを螺合する際に皮膜上から直接にネジ込むことができ、皮膜を外す等の作業も無いので、施工に手間がかからない。
また、パラフィンの皮膜を、コンクリート基礎の天端位置よりも少し低い個所まで施しておくと、基礎天端の位置でアンカーボルトとコンクリートが直接に接触することがなく、リング状の錆びが生じない。
【考案を実施するための最良の形態】
【０００８】
図１は、アンカーボルト１を示す。アンカーボルト１は、丸鋼棒から形成し、下端にコンクリートへの定着部２を設け、上端部に雄ネジ部３を形成すると共に、雄ネジ部３の表面をパラフィン皮膜４で被覆してある。符合５は刻印であって、アンカーボルト１に形成されており、コンクリート打設時の基礎天端位置の目安となる。
本実施例では、定着部２を、Ｌ字状の折り曲げ部としてあるが、Ｕ字状に折り返したフックであっても、上端側が径大の笠状部であっても良い。
雄ネジ部３は、アンカーボルト１の長さによっても異なるが、木造家屋の土台接合用のものでは一般に上端から３５〜７０ｍｍにわたって形成してある。雄ネジ部３の範囲は、アンカーボルト１の長さによっても異なる。
【０００９】
パラフィン皮膜４は、溶融パラフィンを塗布したり、あるいは溶融させたパラフィンにどぶ漬け等して形成する。皮膜を形成する範囲は、アンカーボルト１の上端から前記刻印５よりも少し深くした位置までである。
パラフィン皮膜４は、柔らかいので皮膜の上から直接にナット６を雄ネジ部３へ螺合することができる（図２）。また、螺合が進むにつれて剥がれ落ち、ナット６の締め付けに何らの支障もない。符号７はワッシャーである。なお、図２では、パラフィン皮膜４の存在を示すため、頂部近くの一部を剥離した状態で示しているが、製品では雄ねじ部３の全体が頂部も含めて被覆されている。
【００１０】
図３は、アンカーボルト１の使用例を示す。
コンクリート基礎８にアンカーボルト１を植設し、雄ネジ部３をコンクリート基礎８の上方へ突出させておく。雄ねじ部３にはパラフィン皮膜４が形成され、パラフィン皮膜４の下端は刻印５の少し下まで達している。土台９をコンクリート基礎８の上面に載置して、土台９に予め形成してある貫通孔へ雄ネジ部３を通す。ついで、土台９の上方から、パラフィン皮膜４で被覆されたままの雄ネジ部３へワッシャー７を介してナット６を直接にねじ込んで、土台９をコンクリート基礎８に固定する。
【００１１】
この際、雄ネジ部３に打設時のコンクリートが付着していることがあるが、パラフィン皮膜４とコンクリートとはなじみにくく付着している厚さも小さいので、ナット６をねじ込む僅かな力で付着したコンクリートは簡単にはがれ落ちる。
また、コンクリート基礎８の天端面がアンカーボルト１に接触する個所はパラフィンの皮膜４で覆われているのでこの個所に錆び（前記リング状の錆び）が発生することはない。
【図面の簡単な説明】
【００１２】
【図１】アンカーボルトの断面図。
【図２】要部を拡大して示す斜視図。
【図３】アンカーボルトの使用例を示す断面図。
【符号の説明】
【００１３】
１  アンカーボルト
２  定着部
３  雄ネジ部
４  パラフィン皮膜
５  刻印（コンクリート基礎の天端位置）
６  ナット
７  ワッシャー
８  コンクリート基礎
９  土台
【図１】
0003108759.tif 000003
【図２】
0003108759.tif 000004
【図３】
0003108759.tif 000005
(57)【要約】      （修正有）【課題】ゴミ箱内部の異臭を有効に消臭する消臭ゴミ箱を提供する。      【解決手段】消臭ゴミ箱は、ゴミ箱本体上に上蓋２１が枢設され、この上蓋内側に消臭ユニット３を配設している。この消臭ユニットは収納容器を有し、この収納容器内に、活性炭を入れた消臭袋を収納するようになっている。収納容器には多数個の通気孔が形成されている蓋体が嵌合される。使用時は、消臭ユニットをゴミ箱の上蓋内側に配設する。【選択図】図２
0003108752.tif 000002
【実用新案登録請求の範囲】
【請求項１】
ゴミ箱本体上に上蓋を開閉自在に枢設し、この上蓋内側面に消臭ユニット配設する消臭ゴミ箱において、
前記消臭ユニットは、収納容器を有してこの収納容器内に活性炭を収納した消臭袋を入れ、前記収納容器の開口に多数の通気口を形成した蓋体を被せると共に、前記収納容器の背面に取付片を設け、使用時に前記消臭ユニットを前記収納容器の背面に設けた取付片を介してゴミ箱の上蓋内側に配置可能としたことを特徴とする消臭ゴミ箱。
【請求項２】
前記消臭ユニットは、背面の取付片が磁性を備えた取付片であり、金属製のゴミ箱上蓋内側に吸着配置することを特徴とする請求項１記載の消臭ゴミ箱。
【請求項３】
前記消臭ユニットは、背面の取付片が粘性又は接着性を備えた取付片であり、取付片の粘着性又は接着性によってゴミ箱上蓋内側に配置することを特徴とする請求項１記載の消臭ゴミ箱。
【考案の詳細な説明】
【技術分野】
【０００１】
本考案は、消臭ゴミ箱に係り、ゴミ箱内部の異臭を有効に消臭することができるようにした消臭ゴミ箱に関する。
【背景技術】
【０００２】
図１に示すとおり、一般のゴミ箱１は、ゴミ箱本体１０上に上蓋１１が枢設されている。そのため、このようなゴミ箱１は、内部に収納したゴミに蝿等がたかることを防ぎ、またゴミ箱内の異臭が外に出ることも防ぐことができるようになっている。しかしながら、従来のゴミ箱１は、ゴミを収納したゴミ箱本体１０内が上蓋１１によって閉められているため、ゴミからより一層異臭を発生させ易く、上蓋１１を開けた時、中に溜まっていた異臭が一気に外に出て、人に強い不快感を与えることがある。更に、このようなゴミ箱１は、内部を洗っても中の異臭を除去できずに残りやすいものであった。
【考案の開示】
【考案が解決しようとする課題】
【０００３】
前述したように従来のゴミ箱は、ゴミを収納したゴミ箱本体１０内が上蓋によって閉められているのみであり、そのためゴミからより異臭を発生させ易く、しかも上蓋を開けた時、中に溜まっていた異臭が一気に外に出て、人に強い不快感を与えることがあると共に、ゴミ箱の内部を洗っても中の異臭を除去できないという不都合があった。
【０００４】
本考案は上述した点に鑑みてなされたもので、ゴミ箱内の異臭を有効に除去して蓋の開閉時に異臭が外に出て人に強い不快感を与えることがないようにした消臭ゴミ箱を提供することを目的とする。
【課題を解決するための手段】
【０００５】
前記目的を達成するため本考案による消臭ゴミ箱は、ゴミ箱本体上に上蓋を開閉自在に枢設し、この上蓋内側面に消臭ユニット配設する消臭ゴミ箱において、
前記消臭ユニットは、収納容器を有してこの収納容器内に活性炭を収納した消臭袋を入れ、前記収納容器の開口に多数の通気口を形成した蓋体を被せると共に、前記収納容器の背面に取付片を設け、使用時に前記消臭ユニットを前記収納容器の背面に設けた取付片を介してゴミ箱の上蓋内側に配置可能としたことを特徴とする。
【考案の効果】
【０００６】
本考案による消臭ゴミ箱は、ゴミ箱内部の異臭を有効に消臭することができ、蓋の開閉時に異臭が外に出て不快感を与えることを防止できる効果がある。
【考案を実施するための最良の形態】
【０００７】
以下、図面を参照して本考案の実施例を説明する。
【０００８】
図２〜図５に示すように、本考案実施例のはゴミ箱２は、ゴミ箱本体２０上に金属製の上蓋２１が開閉自在に枢設されている。消臭ユニット３は、前記ゴミ箱２の上蓋２１内側面に設置される。この消臭ユニット３には、収納容器３０が配設可能とされ、この収納容器３０内に収納室３００が形成されており、この収納室３００に活性炭入りの消臭袋３１が収納されるようになっている。蓋体３２は、前記収納容器３０に嵌合して収納室３００を閉塞するようになっている。この蓋体３２は、多数個の通気孔３２０が形成されている。さらに収納容器３０は、その背面に磁性を備えた取付片３３が配設されている。
【０００９】
使用時、前記消臭ユニット３は、背面の磁性を備えた取付片３３によって金属製のゴミ箱２の上蓋２１内側に吸着配設される。このようにして、消臭ユニット３の消臭袋３１がゴミ箱２内の異臭を除去するものである。
【００１０】
なお、前記取付片３３としては、磁性を備えているもの以外に、例えば接着剤層（粘着剤層）を有するものであってもよく、この場合は使用するまでは接着剤層を覆う剥離シートを必要とする。また、前記のように取付片３３をゴミ箱２の上蓋２１に配設するのに磁性を用いない場合には、この上蓋２１は金属製である必要はない。
【図面の簡単な説明】
【００１１】
【図１】従来のゴミ箱を示す斜視図である。
【図２】本考案実施例のゴミ箱を示す斜視図である。
【図３】本考案実施例のゴミ箱に用いる消臭ユニットを示す立体斜視図である。
【図４】図３に示す消臭ユニットの斜視図である。
【図５】図４に示す消臭ユニットの側面断面図である。
【符号の説明】
【００１２】
１        ゴミ箱
１０        ゴミ箱本体
１１        上蓋
２        ゴミ箱
２０        ゴミ箱本体
２１        上蓋
３        消臭ユニット
３０        収納容器
３００        収納室
３１        消臭袋
３２        蓋体
３２０        通気孔
３３        取付片
代理人  弁理士  伊藤  進
【図１】
0003108752.tif 000003
【図２】
0003108752.tif 000004
【図３】
0003108752.tif 000005
【図４】
0003108752.tif 000006
【図５】
0003108752.tif 000007
(57)【要約】【課題】櫛部本体とケ−ス部を一体的に連結し、使用時に櫛部本体をケ−ス部から取り出し、ケ−ス部を握り部として使用できる構造の折り畳み可能な櫛の提供【解決手段】この考案の折り畳み可能な櫛は、下面に櫛歯１を配設し、基部に関節部３を設けた櫛歯本体Ａの関節部３を、略コの字状のケ−スＢの先端部に設けた切欠部５に嵌着し、櫛部本体Ａの水平方向以上の回転を拘束可能に軸支しているので、使用時に櫛部本体Ａが上方へ屈曲するという不具合が発生しない。【選択図】 図１
0003108755.tif 000002
【実用新案登録請求の範囲】
【請求項１】
下面に櫛歯（１）を配設し、基部に、中央部に貫通穴（２）を穿設した略円形状の関節部（３）を設け、該関節部（３）の後部に段差状に突出する突設部（４）を設けてなる櫛部本体（Ａ）の前記関節部（３）を、略コの字状のケ−ス（Ｂ）の先端部に設けた切欠部（５）に嵌着し、前記貫通穴（２）に軸（６）を挿通し、前記櫛部本体（Ａ）を前記切欠部（５）に回動可能に軸支するとともに、前記櫛部本体（Ａ）を水平に開いたとき、前記突設部（４）の下面に当接するストッパ−軸（７）を、前記切欠部（５）に設けたことを特徴とする折り畳み可能な櫛
【考案の詳細な説明】
【技術分野】
【０００１】
この考案は、折り畳み可能な櫛に関するものである。
【背景技術】
【０００２】
従来、櫛歯が並列に複数列配設され、並列に並んだ櫛歯を折り畳みできる構造の櫛は知られている（例えば、特許文献１参照。）。
しかし、かかる構造の櫛は、横幅があるので、櫛部本体とケ−ス部を一体的に連結し、使用時に櫛部本体をケ−ス部から取り出し、ケ−ス部を握り部として使用できる構造のものは、未だ市場に散見することはできない。
【０００３】
前記特許文献１に開示されているような構造の櫛は、使用しないときには、そのまま放置するか又は特定の収納具、例えば、袋または箱状のケ−スに収納していたので、次のような問題点があった。
（１）使用しないときに、そのまま放置すれば、櫛歯に埃が付着し不衛生である。
（２）収納具を別に備えると、保管・管理が面倒である。
（３）収納具に仕舞うのが面倒である。
（４）使い勝手がわるい。
【特許文献１】特開平８−１１７０１５号公報
【考案の開示】
【考案が解決しようとする課題】
【０００４】
この考案は、背景技術で記述した問題点を解消するためになされたもので、櫛部本体とケ−ス部を一体的に連結し、使用時に櫛部本体をケ−ス部から取り出し、ケ−ス部を握り部として使用できる構造の折り畳み可能な櫛の提供を目的とするものである。
【課題を解決するための手段】
【０００５】
この考案の折り畳み可能な櫛は、下面に櫛歯を配設し、基部に、中央部に貫通穴を穿設した略円形状の関節部を設け、該関節部の後部に段差状に突出する突設部を設けてなる櫛部本体の前記関節部を、略コの字状のケ−スの先端部に設けた切欠部に嵌着し、前記貫通穴に軸を挿通し、前記櫛部本体を前記切欠部に回動可能に軸支するとともに、前記櫛部本体を水平に開いたとき、前記突設部の下面に当接するストッパ−軸を、前記切欠部に設けたことを特徴とするものである。
【考案の効果】
【０００６】
この考案は上述のように構成されているので、次のような効果を呈する。
（１）櫛部本体とケ−ス部が回動可能に連結しているので、櫛部本体のケ−ス部への収納がワンタッチでできる。
（２）ストッパ−軸によって、櫛部本体の水平方向以上の回転を拘束しているので、使用時に櫛部本体が上方へ屈曲するという不具合が発生しない。
（３）ケ−ス部を握り部として活用できる。
（４）したがって、使い勝手がよい。
【考案を実施するための最良の形態】
【０００７】
櫛部本体とケ−ス部を一体的に連結し、使用時に櫛部本体をケ−ス部から取り出し、ケ−ス部を握り部として使用できる構造の折り畳み可能な櫛の提供という目的を、下面に櫛歯を配設し、基部に、中央部に貫通穴を穿設した略円形状の関節部を設け、該関節部の後部に段差状に突出する突設部を設けてなる櫛部本体と先端部に前記関節部を嵌着する切欠部を設けた略コの字状のケ−スとの組合せによって実現できた。
【実施例】
【０００８】
この考案の実施の形態の一例を図面を参照しながら説明するに、櫛部本体Ａは、図１〜図２に示すように、下面に櫛歯１を配設し、基部に、中央部に貫通穴２を穿設した略円形状の関節部３を設け、該関節部３の後部に、段差状に突出する突設部４を設けている。
【０００９】
櫛部本体Ａの関節部３を、略コの字状のケ−スＢの先端部に設けた切欠部５に嵌着している。
【００１０】
関節部３の貫通穴２に軸６を挿通し、櫛部本体Ａをケ−スＢの切欠部５に回動可能に軸支している。したがって、この状態では、櫛部本体Ａは、図４に示す櫛部本体Ａをケ−スＢに収納した姿勢から約２７０度回転できる。
【００１１】
櫛部本体Ａを、図１に示すように、水平に開いたとき、関節部３に設けた突設部４の下面に当接するストッパ−軸７を、ケ−スＢの切欠部５に設けている。
【００１２】
この状態では、櫛部本体Ａの水平方向、即ち図４に示す櫛部本体Ａをケ−スＢに収納した姿勢から１８０度までしか回転できないように、櫛部本体Ａの回動が拘束されているので、使用時に櫛部本体Ａが上方へ屈曲するという不具合の発生はない。
【００１３】
なお、櫛部本体Ａの櫛歯１は、櫛部本体Ａの下面に、櫛歯１を１本毎に直接植設してもよく、また図３に示すように、予め複数本の櫛歯１を配設した部材Ｃを接着剤等によって接着してもよい。図３（ａ）は、櫛歯１を一列配設、図３（ｂ）は、櫛歯１を二列配設した場合の一例であるが、これに限定されるものではなく、必要に応じて、三列以上配設してもよい。
【００１４】
また、櫛部本体Ａ及びケ−スＢの材質については、つげ等の木材または竹材を適用することができる。
【００１５】
また、櫛歯１を、衣服などの埃を払い落とすためのブラシに置換して使用することも可能である。
【産業上の利用可能性】
【００１６】
この考案は上述のように構成されているので、櫛歯が並列に複数列配設され、横幅がある櫛部本体とケ−ス部を一体的に連結し、使用時に櫛部本体をケ−ス部から取り出し、ケ−ス部を握り部として使用できる折り畳み可能な櫛としての利用が可能である。
【図面の簡単な説明】
【００１７】
【図１】考案の一実施例を示す一部切欠側面図
【図２】考案の一実施例を示す平面図
【図３】櫛歯を配設した部材の一例を示す概略斜視図
【図４】櫛部本体をケ−スに収納した状態を示す一部切欠側面図
【符号の説明】
【００１８】
１ 櫛歯
２ 貫通穴
３ 関節部
４ 突設部
５ 切欠部
６ 軸
７ ストッパ−軸
Ａ 櫛部本体
Ｂ ケ−ス
Ｃ 櫛歯を配設した部材
【図１】
0003108755.tif 000003
【図２】
0003108755.tif 000004
【図３】
0003108755.tif 000005
【図４】
0003108755.tif 000006
(57)【要約】【課題】  ブーツにも、サンダルにもなるブーツを提供する。【解決手段】  ブーツ本体にサンダルのバンドを作っておきサンダルの甲の上にアッパーを作っておきファスナーで自由にとりはずし出来てサンダルにもブーツにもなるブーツである。【選択図】  図１
0003108774.tif 000002
【実用新案登録請求の範囲】
【請求項１】
アッパーをファスナーで着脱可能にしたブーツであって、前記アッパーを取り外したとき、その下がサンダルのバンドとなっているサンダルにもなるブーツ。
【考案の詳細な説明】
【技術分野】
【０００１】  本考案は、ブーツなのにアッパーの部分が最初からサンダルになっておりサンダルの上にファスナーでアッパーを被せてブーツになるものです。
【背景技術】
【０００２】  今までは、靴は靴、ブーツはブーツ、サンダルはサンダルでした。
一足で二通りのスタイルになるブーツを作りたかった。
【考案の開示】
【０００３】  靴は今までは、左右同じものでした。サンダルと靴を別々に履くことは、ありえなかったのです。でも足に障害があり足をだせない人もいます。私は右足に障害をもっており一年中ブーツで過ごしております。夏になるとサンダルに憧れます。
片方の足だけでもサンダルになってもおかしくないブーツを作る事を考えたものである。
【課題を解決しようとす課題】
【０００４】  本考案は、最初からサンダルのブーツを作り、サンダルの部分の周りソールの部分にもファスナーを一周つけておきます。サンダルを塞ぐアッパーの周りにも、一周ファスナーをつけ好きな時に取り外すことが可能な、サンダルにもブーツにもなるものである。
【考案の効果】
【０００５】  上述の様に、本考案のブーツは、色彩により一層効果が上がります。ブーツはモスグリーンとします。サンダルの部分はオレンジ色に、上に被せるアッパーの部分も同色にします。アッパーの部分は、色々な色を作っておきます。それにより何とおりものブーツが出来ます。ロングブーツ、ショートブーツ、アングルブーツにも適応できます。片方だけファスナーを取り、サンダルにして履いても、色彩的におかしくない。洋服にもバリエイションがひろがります。２１世紀に、常識を覆すこのようなブーツがあってもおかしくないと思います。
【考案の実施するための最良の形態】
【０００６】  サンダルになっている部分の周り、一周にファスーをつける。
足の甲に当たるアッパーにもファスナーを一周つけておきます。それによって自由にサンダルにもブーツにもなります。
【実施例】
【０００７】  以下、添付図面に従って、実施例を説明する。１はブーツ本体で柔らかな本皮を使用します。２はサンダルのバンドである。３はソール部分、すなわち地面に接する部分で、レザー又はラバーを使用します。【０００８】  ５は足の甲を塞ぐアッパーで、ファスナー４を円形に付けておきます。【０００９】  ソール部分３には、ファスナーが入る溝をあけておきます。
溝をあける事で段差がなくなり４のファスナーがスムーズに取り外しできる。
【図面の簡単な説明】
【００１０】
【図１】実施例のサンダルにもなるブーツの実施例を示す正面図である。
【図２】実施例のブーツのアッパーの平面図である。
【符号の説明】
【００１１】  １  ブーツ本体
２  サンダルのバンド
３  ソール部分
４  ファスナー
５  アッパー
【図１】
0003108774.tif 000003
【図２】
0003108774.tif 000004
(57)【要約】      （修正有）【課題】挿入しやすく、便器にかかる体重を分散させて床上での排せつを楽にする便器を提供する。【解決手段】先端部位を低くし、臀部にくい込む部分に少しの面と便器からはみでる臀部を支える面をつけ長時間の使用でも苦痛が無く楽に排泄できるようにする。【選択図】図４
0003108776.tif 000002
【実用新案登録請求の範囲】
【請求項１】
便器の先端部を低くし安楽に挿入出来る便器。
【請求項２】
臀部に触れる部分に少しの面をつけくい込みと疼痛を防ぐ便器。
【請求項３】
便器からはみ出る臀部を支える面をつけることにより体重を分散し楽に排泄できる便器。
【考案の詳細な説明】
【考案の詳細な説明】
【考案が解決しようとする課題】
【０００１】床上で排泄をする場合は、肉体的にも精神的にもダメージを受けている時である。
そのため排泄は未経験者が想像するより困難である。
挿入時、先端部分が高いと腰があがりにくく痛みをともなう。また少し長い間便器を当てると臀部が便器にくい込み、苦痛この上ない。この苦痛の為さらに便秘へと傾くケースが多い。
【課題を解決する為の手段】
【０００２】差し込み先端部位の高さを低くし、また臀部がくい込む部分に少しの面と便器からはみ出る部分に体重を支える面をつける。
【考案の効果】
【０００３】楽な姿勢で排せつできる。
長時間の使用でも苦痛がない。
便秘の悪循環を断てる。
【図面の簡単な説明】
【図１】  考案便器の平面図である。
【図２】  考案便器の側面図である。
【図３】  市販便器の使用図である。
【図４】  考案便器の使用図である。
【図５】  市販便器の差し込み状態である。
【図６】  考案便器の差し込み状態である。
【符号の説明】
１  便器本体
２  便器に臀部がくい込むのを防ぐ面
３  便器から臀部がはみ出るのを支える面
４  先端部位
【図１】
0003108776.tif 000003
【図２】
0003108776.tif 000004
【図３】
0003108776.tif 000005
【図４】
0003108776.tif 000006
【図５】
0003108776.tif 000007
【図６】
0003108776.tif 000008
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
臀部に触れる部分に少しの面をつけ、くい込みと疼痛を防ぎ楽に排泄できる便器。
【請求項２】
便器からはみ出る臀部を支える面をつける事により、体重を分散し、長時間の排泄でも痛くなく、楽に排泄できる便器。
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
臀部に触れる部分に少しの面をつけ、くい込みと疼痛を防ぎ、楽に排泄できる便器。
【請求項２】
便器からはみ出る臀部を支える面もつけた請求項Ｉ記載の便器。
(57)【要約】【課題】      従来の商品化された納豆には、独特の匂いと粘着性が強いという問題があった。これは納豆の特徴であるから、やむを得ない面があるにしても、それゆえ納豆の消費量が改善されていない。いかにしてデザート・おやつとしての納豆を提供するかである。【解決手段】  紙又は合成樹脂の容器の中に、下部に発酵乳８０ｇ、上部に納豆２０ｇを敷き詰め、納豆菌が呼吸できるカバー紙と蓋をしたもの。あるいは、容器を区画して納豆２０ｇと小袋の発酵乳４０ｇを入れ、納豆菌が呼吸できるカバー紙と蓋をしたものである。この納豆と発酵乳を混ぜてデザート・おやつとして食べるのである。【選択図】    図１
0003108780.tif 000002
【実用新案登録請求の範囲】
【請求項１】
発酵させた粒又は挽き割りの大豆２０重量部に対し、発酵乳１０〜２００重量部を混合することなく、納豆菌が呼吸できるような配慮をしつつ、紙又は合成樹脂でできた１つの容器内に、上下に、あるいは水平に配置する。もしくはそれぞれ別の容器に収納しそれらを１つのセットにする。この納豆と発酵乳を混ぜて食べることを特徴とするデザート・おやつとしての納豆。
【請求項２】
少なくとも、甘味料、香料、安定剤、乳化剤を、原材料として含む発酵乳を使用する請求項１記載のデザート・おやつとしての納豆。
【考案の詳細な説明】
【技術分野】
【０００１】  本考案はデザート・おやつとしての納豆に関する。
【背景技術】
【０００２】  従来の商品化された納豆は、主に米飯食のおかず又は酒肴として利用されてきた。
【特許文献１】        実開平６−８４８８４
【考案の開示】
【考案が解決しようとする課題】
【０００３】  しかしながら従来の商品化された納豆では、その匂いと粘り故に、人によってはそれを好むものあり、また好まざるものありの現状である。特に欧米人は食べたがらない。【０００４】  そこで納豆の匂いと粘りを軽減し、デザート・おやつとしての納豆を提供することを課題とするものである。
【課題を解決するための手段】
【０００５】  本考案は上記課題を解決するために、発酵させた粒又はひきわりの大豆２０重量部に対し、甘味料、香料、安定剤、乳化剤、酸味料を原材料として含む発酵乳１０〜２００重量部を混合することなく、納豆菌が呼吸できるような配慮をしつつ、紙又は合成樹脂でできた１つの容器内に上下にあるいは水平に配置する。もしくは別々の容器に収納しそれらをセットにする。この納豆と発酵乳を混ぜて食べることを特徴とする，デザート・おやつとしての納豆。
【考案の効果】
【０００６】  上述したような本考案の納豆は、その独特の匂いが発酵乳により軽減・変化し、その粘る糸は発酵乳を束ねて水飴上に変化し、欧米人でも楽しく食することができるものになる。ただし発酵乳が少ないと、匂いや粘りが軽減されず、逆に多いと納豆が埋没してしまう。【０００７】  さらに納豆と発酵乳の栄養を同時に摂取できる効果もある。【０００８】  従って本考案による、食べやすく栄養価の高いデザート・おやつとしての納豆を、多くの人に提供できると考えられる。
【考案の実施するための最良の形態】
【０００９】  以下、本考案の実施の形態を図１、図２に基づいて説明する。
【００１０】  図１においては、１はひきわり納豆で２０ｇ。発酵したものをまとめて凍らせたあと整形し、容器との間に隙間が生じないように置く。これは雑菌の侵入を防ぐため。納豆にはバニラエッセンスを添加してもよい。２は発酵乳で８０ｇ。甘味料、香料、安定剤、乳化剤、酸味料が原材料として含まれている。
【００１１】    ３は紙又は合成樹脂の容器。４はカバー紙、５は蓋で、ともに納豆菌が呼吸するための空気穴があいている。
【００１２】  ６は分離帯で、納豆と発酵乳を長時間接触させないためのもので、寒天を成分とし厚さは１ミリ弱。
【００１３】  以上の構成において、１の納豆菌は解凍に従い元気を取り戻し、かつ発酵乳とは多くは接触しない。
【００１４】  食べる時点で蓋とカバー紙を取り外し、スプーン等で混合させるのである。
【００１５】  図２においては、７は小粒の納豆で、２０ｇ。８は発酵乳で４０ｇ。甘味料、香料、安定剤等が加えられていて、小袋に収納されている。
【００１６】  ９は紙又は合成樹脂の容器。１０はカバー紙、１１は蓋で、ともに納豆菌が呼吸するための空気穴があいている。
【００１７】  １２は仕切りで取り外し可能。９にはそれをはめ込むためのくぼみ１３がある。
【００１８】  食べる時点で蓋、カバー紙、仕切りを取り外し、小袋から発酵乳をだして、納豆と混合させるのである。
【図面の簡単な説明】
【００１９】
【図１】    本考案の実施形態を示す、納豆ヨーグルトの断面図。
【図２】    本考案の別の実施形態を示す、納豆ヨーグルトの蓋を開けて上から見た図。
【符号の説明】
【００２０】  １  納豆
２  発酵乳
６  分離帯
７  納豆
８  発酵乳
【図１】
0003108780.tif 000003
【図２】
0003108780.tif 000004
【手続補正書】
【提出日】平成16年8月23日(2004.8.23)
【手続補正１】
【補正対象書類名】実用新案登録請求の範囲
【補正対象項目名】実用新案登録請求の範囲の全文
【補正方法】変更
【補正の内容】
【実用新案登録請求の範囲】
【請求項１】
発酵させた粒又は挽き割りの大豆２０重量部に対し、発酵乳１０〜２００重量部を混合することなく、納豆菌が呼吸できるような配慮をしつつ、かつ発酵乳に雑菌がつかないような配慮をしつつ、紙又は合成樹脂でできた１つの容器内に配置し、この納豆と発酵乳を混ぜて食べることを特徴とするデザートやおやつとしての納豆と発酵乳を組み合わせた食品。
【請求項２】
紙又は合成樹脂でできた１つの容器内に、上に納豆、下に発酵乳、その間に寒天等の薄い分離帯をはさんだ、あるいは左右に納豆と発酵乳を配置し、その間に仕切りを入れた、請求項１記載のデザートやおやつとしての納豆と発酵乳を組み合わせた食品。
【請求項３】
少なくとも、甘味料、香料、安定剤、乳化剤を、原材料として含む発酵乳を使用する請求項１、請求項２記載のデザートやおやつとしての納豆と発酵乳を組み合わせた食品。
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
発酵させた粒又は挽き割りの大豆２０重量部に対し、発酵乳１０〜２００重量部を混合することなく、紙又は合成樹脂でできた１つの容器内に、上に納豆、下に発酵乳、その間に寒天等の薄い分離帯をはさんで、あるいは左右に、納豆と合成樹脂製の袋にいれた発酵乳を配置し、その間に両者の動きを止める仕切りを入れて、納豆菌が呼吸できるような配慮と発酵乳に雑菌がつかないような配慮をした、この納豆と発酵乳を混ぜて食べることを特徴とするデザートやおやつとしての納豆と発酵乳を組み合わせた食品。
【請求項２】
少なくとも、甘味料、香料、安定剤、乳化剤を、原材料として含む発酵乳を使用する請求項１記載のデザートやおやつとしての納豆と発酵乳を組み合わせた食品。
(57)【要約】      （修正有）【課題】曲りタイルにおいて、曲り部分を極力少なくして、加工と焼成時のコストダウンを図るための形状を提供する。【解決手段】山型枠を使用せず平型で曲り部分（２）の垂れを縮少して、平面タイル（１）と圧縮力の最大均一化の値を求めたものです。曲り表面部分（２）は圧縮力が左右からかからず、上からの圧縮力だけでは低下します。本来焼物は厚み及び圧縮力が均一で無いと、焼成時にゆがみ亀裂が生じます。表面部（１）に対する圧縮力が、曲り表面部分（２）の面積に対し同じ圧縮力がかかる最大均一化の値を求め、プレス加工に成功したものです。素地プレス加工の成功により焼成時に山部頂点（４）を上にした山型のサヤに乗せて焼く焼成法も、平面焼成のサヤで焼成が可能となった。【選択図】図２
0003108778.tif 000002
【実用新案登録請求の範囲】
【請求項１】
外装モザイクタイル４５二丁役物曲り及びまぐさ曲りを平焼にしてコストを下げる製造方法
【考案の詳細な説明】
【考案の詳細な説明】
【技術分野】
【０００１】▲１▼従来の外装モザイクタイル４５二丁役物曲りは、山部頂点（４）を上に山型屋根状のサヤの上に乗せて、役物曲りを焼成して平物と比べ６倍から７倍もの容積が必要で、その分平物と比べ単価コストが上がり平物１ｍ２と役物曲り１ｍが同額もしくは役物曲りの方が高く成ります。
その解消方法として焼成時に、平物焼同様に平焼きが出来る方法を考案した物です。
【背景技術】
【０００２】▲２▼従来の製造方は、素地をプレス時に平打ちが出来ず、山部頂点（４）を上にした成形型で、プレス加工をしておりました。  一回のプレス加工で平物は３０個から４５個のプレス加工が可能ですが、従来の役物プレス加工は一回に１０個から１２個の生産個数で、プレス加工する成形型も平物に比べ割高で有ります。  しかも平物は全自動機械化で生産されますが役物曲りは手動生産になり、平物に比べ生産効率が落ち焼成前の段階でコスト面に負担がかかり、その後の焼成時に前途述べた通り窯の中の容積面でコスト負担が二重にかかることに成ります。
【考案が解決しようとする課題】
【０００３】▲３▼本考案はプレス加工時のスピード化及び焼成時の燃焼効率のアップを計りコスト面を平物に近ずけるべき考案した物であります。
【課題を解決する為の手段】
【０００４】▲４▼本考案は上記の通りコストを下げるべく、役物曲りタイルの素地成形時の役物曲り表面部分（２）をプレス加工時に平打同様の圧力がかかる最大の寸法にして平打プレスが可能にした。    焼成時にも役物曲り表面部分（２）が縮少された為、釉薬の流れが無く、平焼きが可能と成り窯にしめる容積面も解決した。
【考案を実施するための最良の形態】
【０００５】▲５▼本考案の製品化は、施工時に従来製品を施工場所に依りカットして施工せしめており、施工性に於いては問題は無く。  むしろ施工時の糸引きも軽量で楽に施工ができ、強度的にも建物のゆがみから来るねじれによる亀裂解消に成ります。  不具合は寸法割出しに於いて従来寸法より縮少されている為、職人が慣れるまでに少々時間が掛かる程度の問題です大幅なコストダウンは、魅力的で業界に於いて貢献出来るものと確信ししております。
【図面の簡単な説明】
【図１】  従来外装４５二丁モザイクの曲り役物の斜視図
【図２】  本考案の斜視図
【図３】  本考案の正面図
【図４】  本考案の側面図
【符号の説明】
１．はタイルの表面
２．は曲りタイルの表面
３．はタイルの厚み
４．は山部頂点
【図１】
0003108778.tif 000003
【図２】
0003108778.tif 000004
【図３】
0003108778.tif 000005
【図４】
0003108778.tif 000006
【手続補正書】
【提出日】平成16年7月7日(2004.7.7)
【手続補正１】
【補正対象書類名】実用新案登録請求の範囲
【補正対象項目名】全文
【補正方法】変更
【補正の内容】
【実用新案登録請求の範囲】
【請求項１】
外装モザイクタイルの役物曲り及びまぐさ曲りを平焼にしてコストを下げた役物タイル
【手続補正書】
【提出日】平成16年9月21日(2004.9.21)
【手続補正２】
【補正対象書類名】実用新案登録請求の範囲
【補正対象項目名】全文
【補正方法】変更
【補正の内容】
【実用新案登録請求の範囲】
【請求項１】
外装モザイクタイル４５二丁壁面の９０度曲り及び９０度マグサの変形役物
(57)【要約】【課題】  帯電を防止する導電性能を有し、且つ帯電性能の経時劣化のないろ過用フィルターエレメントを実現する。【解決手段】ポリテトラフルオロエチレン多孔質膜２に通気性基材４を積層したろ材１を使用するフィルターエレメントにおいて、多孔質膜と通気性基材間に導電層３を介在させる。【選択図】      図１
0003108750.tif 000002
【実用新案登録請求の範囲】
【請求項１】
ポリテトラフルオロエチレン多孔質膜に通気性基材を積層したろ材を使用するフィルターエレメントにおいて、多孔質膜と通気性基材間に導電層を介在させたことを特徴とするろ過用フィルターエレメント。
【請求項２】
ポリテトラフルオロエチレン多孔質膜に通気性基材を積層したろ材を使用するフィルターエレメントにおいて、通気性基材の多孔質膜側に導電性物質をスパッタリング法により通気性を確保しながら点在させたことを特徴とするろ過用フィルターエレメント。
【考案の詳細な説明】
【技術分野】
【０００１】
この考案は、集塵機等に使用される固気分離フィルターエレメントに関し、より詳細には帯電を防止する導電性能を有するフィルターエレメントに関する。
【背景技術】
【０００２】
集塵機等において、吸い込んだ空気より塵等の粉体（固形分）を捕集してろ過・分離するためにフィルターエレメントが使用されている。
【０００３】
この種の固気分離フィルターエレメントのろ材の素材としては、摩擦係数の低さより捕集粉体の離脱に非常に優れているポリテトラフルオロエチレン（ＰＴＦＥ）多孔質膜が多用されている。
【特許文献１】特開２００４−２２３３３４号公報
【考案の開示】
【考案が解決しようとする課題】
【０００４】
しかしながら、ＰＴＦＥは誘電率が高く、帯電しやすく、帯電した静電気の減衰に長時間を必要とする。フィルターにおいては、そこを通過する物質自体が、すでにダクトとの摩擦、ガスとの摩擦等により電荷を帯びている。このような気相空間に設置される固気分離フィルターにおいては、多くの場合電荷を帯びた粉体を捕集することにより電位を上昇させ、静電気放電が発生する確率が高くなる。又これらの電荷は電磁ノイズにより、フィルターエレメント附近の電子システムの誤作動等種々の静電気トラブルを誘発する。
【０００５】
前記の現象を解消するために、フィルターを導電体のものとしたり、導電処理することは容易に想到し得る技術である。しかしながら、導電性のものを空気中又は、酸性ガス中、更に高温下にさらすと表面での酸化が進行し、又塵挨が付着することにより、導電体でも表面の非導電体化が進んで行き、導電性を長期に渡って保持することができない。
【課題を解決するための手段】
【０００６】
この考案は以上の従来技術の問題点を解消したフィルターエレメントを提供することを目的として創作されたものであり、ポリテトラフルオロエチレン多孔質膜に通気性基材を積層したろ材を使用するフィルターエレメントにおいて、多孔質膜と通気性基材間に導電層を介在させたことを特徴とする。
【考案の効果】
【０００７】
よって、この考案のフィルターエレメントによれば、ろ材の多孔質膜と通気性基材間の導電層により導電性が付加され、静電気放電等の静電気トラブルが解消される効果を生じる。
【０００８】
一方、上記の導電層はろ材表面に露出せず、多孔質膜と複合されるので、酸化や、塵挨付着が防止され、導電性を長期問保つことが可能となる。
【考案を実施するための最良の形態】
【０００９】
以下、この考案の具体的実施例を添付図面に基づいて説明する。図１はこの考案のフィルターエレメントのろ材１の断面図である。図中符合１はろ材の骨材となる繊維などからなる通気性基材であり、ここでは不織布を採用している。図中符合３は導電層であり、ここではステンレス等からなる厚さ５〜２０μの導電性物質を上記の通気性基材４の多孔質膜側にスパッタリング法により付着させている。この場合、通気性を確保するために導電性物質は通気性基材４上のごま塩状に点在される。図中符合２はポリテトラフルオロエチレン多孔質膜であり、ここでは気孔率５０〜９５％のものを採用している。
【００１０】
上記ろ材１は円筒状に折り曲げられ、金属製のエンド部材５、６間に支持される。
【００１１】
以下、この考案のフィルターエレメントの帯電防止性能の実験結果を記す。
(1) フィルターの帯電を模擬し、正・負のイオンシャワーをフィルターに照射して強制的に帯電させた結果、この考案のフィルターエレメントでは、金属製のエンド部材が接地されていると電位の上昇がなく０Ｖである。
(2) 同時に、同じ条件でろ材の電位上昇を試験した結果、その電位は１００Ｖ以上に上昇しない。又、静電気が連続的に発生せず、発生が一時的に停止すると、帯電した電荷が、接地されているエンド部材を通して大地に漏洩するため、電位も減衰する。尚、ろ材に帯電した電荷が大地に漏洩する緩和時間は、約１００秒である。
(3) ろ材は導電性材料であるが、その表面は絶縁物からなる樹脂で加工されているため、の表面電気抵抗率は、静電気的にも絶縁物に相当する大きな値であり、それによってろ材が帯電するため、ろ材の電位は０Ｖにならない。しかし電位は１００Ｖ以下で、放電が発生する高い電位には上昇しない。
【００１２】
以上のように、この考案のフィルターは、金属製のエンド部材が接地されていると、エンド部材間は０Ｖ、ろ材では高くて１００Ｖ以下、静電気の緩和時間も約１００秒である。
【００１３】
又、静電気の発生が無ければ、そこに帯電した静電気が約１００秒で１／３に減衰する性能を有する。
【００１４】
一方、ろ材が帯電した場合も、電位が１００Ｖ以下であるため、ろ材から放電も発生せず、帯電防止の効果を有していることが確認された。
【図面の簡単な説明】
【００１５】
【図１】この考案のフィルターエレメントのろ材の断面図。
【図２】この考案のフィルターエレメントの斜視図。
【符号の説明】
【００１６】
１        ろ材
２        ポリテトラフルオロエチレン多孔質膜
３        導電層
４        通気性基材
【図１】
0003108750.tif 000003
【図２】
0003108750.tif 000004
(57)【要約】【課題】  本考案は、ペット用のベッドを寝袋形状にし、また、携帯用（使い捨て）カイロなども利用できるスペースを合わせて別に設けることで、ペットが、安全、且つ、快適に過ごせる場所となるものを提供する。【解決手段】  本考案は、ペット用ベッドの形状を、ベースとなる１と合わせて袋形状を形成するように２を設けることで、ペットに「こもる」感覚が生まれ、安心感を与え、自身の体温による保温効果を得ることができる。また、ペットが頭や足を入れて「もぐり込む」感覚をスムーズにするために、ベース部の１を上部の２の長さよりもやや長くし、せり出させた形とする。さらに、ペットが入る空間である４とは場所を分ける５に、携帯用（使い捨て）カイロなどを入れる空間を設けることで、ペットに直接触れることなく、安全に暖房効果をもたらすことが可能となる。【選択図】    図３
0003108795.tif 000002
【実用新案登録請求の範囲】
【請求項１】
猫や小型犬などの小動物が、袋状のものに興味を示し、その中に入りたがる習性にならい、布、もしくはそれに準じる生地を用いて、ペットへ程よい「こもり」感覚を与えるために、形状を寝袋型としたペット用ベッド。
【請求項２】
寝袋形のベッドにおいて、猫や小型犬などの小動物に、よりスムーズな出入りをさせるために、布地の上部の形状と下部の形状とをずらし、下部の寸法を長くして上部よりもせり出させた状態にすることで、内部への侵入時に下部を足で押さえる形となり、ペットが頭や足を入れやすくなる。結果、習性である「もぐる」感覚に応じることとなり、スムーズに利用できるペット用ベッド。
【請求項３】
本体の構造を二重の袋状にすることで、ペットが入る空間と携帯用（使い捨て）カイロやペットが好む香りを入れたりする空間とを分けることができ、安全に利用することができるペット用ベッド。
【考案の詳細な説明】
【技術分野】
【０００１】    本考案は、猫や小型犬などの小動物の習性に基づいて、ペットが快適に過ごしたり、安全に暖をとったり、くつろいだりできる様に、寝袋形状を用いたペット用のベッドに関するものである。
【背景技術】
【０００２】    猫や小型犬などの小動物向けのベッドは、これまで犬小屋風のものやドーム状のもの、単純なマット形状のものなどが主流で、特に暖房機能をもった商品は、材質的にはハードなものであり、また、電源を確保する必要があるために、その置き場所も限定されるものであった。
【考案の開示】
【考案が解決しようとする課題】
【０００３】    従来の商品では、素材や構造上、コンパクトに折りたたむことが困難で、未使用時における収納場所の問題があった。また、暖房の手段として家庭用交流電源を利用しているために電源コードが存在し、ペットが好む場所に自由におくことができず、また、留守中の使用においては、不安を感じるものであった。従って、ベッドの素材や構造を変更し、収納時もあまりかさばらないようにし、且つ、電気を使用しないで暖房機能を設けることで、これらの問題を解決しようとするものである。
【課題を解決するための手段】
【０００４】    本考案は、ベッドの素材を布やそれに準じた柔らかい素材にすることで、収納時に折り畳んだり丸めたりすることが可能になり、且つ、寝袋形状にすることで、猫などの小動物が好む「こもる」感覚を作ることができ、ペットにとってより自然な利用と、自身の体温により暖を確保することが可能となる。さらに、袋の形状を二重にすることで、ペットの体に直接触れることなく携帯用（使い捨て）カイロなどを使用でき、暖房用途として安全に利用できるものとなる。また、電源も必要ないため、ペットが好む場所へ自由に移動して使うことも可能となるものである。
【考案の効果】
【０００５】    上述のように、本考案のペット用ベッドは、部屋の中において、自由に好きな場所で利用でき、特に、寒い時期には、携帯用（使い捨て）カイロなどの利用により電源を使わず安全に暖房を確保できるものである。また、芯材などを使わず、布などの柔らかい素材で袋形状にすることで、ペットが好む、「もぐる」感覚や「こもる」感覚を実現でき、暖をとりやすいものとなり、且つ、収納性にも富むものとなる。さらに、単純にベッドの上に乗れば、マットとしての利用もできる。布などの洗濯可能な素材にすることで、常に清潔な状態を保てることも利点である。
【考案を実施するための最良の形態】
【０００６】    ベッド本体は、布などの柔らかい素材を用い、且つ、クッション性を持たせるために、内部に綿などを入れる構造とする。ペットが好む、「もぐる」感覚や「こもる」感覚を実現し、空間が空き過ぎたり狭すぎたりせず、ほどよく体を被うように、本体は寝袋状にする。また、ペットが出入りする部分は、ペットの頭や足を入れやすいように、下側となる生地の部分をややせり出させた形状とする。暖房時に、安全に携帯用（使い捨て）カイロを使用できるように、袋の形状を二重にし、ペットが入る場所と携帯用（使い捨て）カイロを入れる場所を分け、直接ペットに触れないようにする。その際に、携帯用（使い捨て）カイロを入れる場所は本体の底面側とし、通常の使用状態では、ペットがいたずらをしたりできないようにする。
【実施例】
【０００７】    以下、添付図面に従って実施例を説明する。本考案によるペット用ベッドは、寝袋形状のベース部分となる１と上部を形成する２からなり、そのどちらにも中綿が入っており、クッション性、及び、保温性を高める効果がある。【０００８】    ペットが入る場所である４と、携帯用（使い捨て）カイロなどを入れる場所である５を別の空間として分けることで、カイロなどが、直接ペットに触れることはない。【０００９】    カイロなどを入れるための開口部３は、１の底面側にあり、さらに、開口部３に重なりを設けることで、通常の使用状況において、ペットが侵入し、カイロなどにいたずらをしないようになっている。
【図面の簡単な説明】
【００１０】
【図１】本考案のペット用ベッドを斜め上方から見た図である。
【図２】本ペット用ベッドを底面側から見た図である。
【図３】本ペット用ベッドの断面図である。
【符号の説明】
【００１１】  １  ベッド本体（袋形状の下部・ベース部）
２  ベッド本体（袋形状の上部）
３  底面側開口部
４  ペットのための空間
５  携帯用（使い捨て）カイロなどを入れるための空間
【図１】
0003108795.tif 000003
【図２】
0003108795.tif 000004
【図３】
0003108795.tif 000005
【手続補正書】
【提出日】平成16年12月15日(2004.12.15)
【手続補正１】
【補正対象書類名】実用新案登録請求の範囲
【補正対象項目名】全文
【補正方法】変更
【補正の内容】
【実用新案登録請求の範囲】
【請求項１】
布、もしくはそれに準じる生地を用いて、袋状にしたペット用ベッド。
【請求項２】
袋状となっている口の一部の寸法を長くし、その部分がせり出た状態になった請求項１に記載のペット用ベッド。
【請求項３】
ペットが入る空間とは別に仕切られた空間をもつ請求項１又は、請求項２に記載のペット用ベッド。